(57)【要約】【課題】簡易な構成で浴室用の配管を支持することができる配管支持具を提供する。【解決手段】配管支持具１は浴室用の配管５０を支持する。配管支持具１は、取付部１１と支持部１２を備える。取付部１１は、浴槽に取り付けられる。取付部１１は、浴槽の裏側において取付部１１から延び、配管５０を支持する。【選択図】図３
2018091461.tif 000002
【特許請求の範囲】
【請求項１】
浴室用の配管を支持するための配管支持具であって、
浴槽に取り付けるための取付部と、
前記浴槽の裏側において前記取付部から延び、前記配管を支持する支持部と、
を備えることを特徴とする配管支持具。
【請求項２】
前記取付部は、前記浴槽の上端縁部に取り付けられ、
前記支持部は、板状をなし、前記取付部から下方に延び、下部に前記配管の端部を支持することを特徴とする請求項１に記載の配管支持具。
【請求項３】
前記支持部は、下部において前記浴槽側へ屈曲した底部を有し、
前記底部は、上下に貫通する貫通孔部を有し、
前記貫通孔部の上側に前記配管の端部が固定され、前記配管の接続口が前記貫通孔部の下側に突き出すように設けられることを特徴とする請求項２に記載の配管支持具。
【請求項４】
前記底部はＬ字状をなし、両辺部に前記貫通孔部が形成されていることを特徴とする請求項３に記載の配管支持具。
【請求項５】
前記支持部は、上下方向に延びる第１突条部を有することを特徴とする請求項２から４のいずれか１項に記載の配管支持具。
【請求項６】
前記支持部は、横方向に延びる第２突条部を有することを特徴とする請求項２から５のいずれか１項に記載の配管支持具。
【発明の詳細な説明】
【技術分野】
【０００１】
本発明は、浴室に用いられる配管を支持する配管支持具に関する。
【背景技術】
【０００２】
浴室には、浴槽や壁パネルの裏側に配索され、浴室内に配設された吐水装置に接続される給水給湯用の配管が付属している。配管は、浴槽や壁パネル等に設けた支持構造によって支持されている。
【０００３】
例えば、特許文献１には、浴槽の一側面の両端部で浴槽の上端縁部と洗い場床の土手部とを結合する１対の結合部材と、該一側面において結合部材、上端縁部および洗い場床の土手部により画成される開口部を閉塞するエプロンを備える浴室ユニットが開示されている。浴室ユニットは、洗い場床の床面に建築用追焚配管の端部が引き出されており、結合部材に浴槽側と洗い場床側とを連通させる連通孔が形成されている。浴槽の循環口具に結合された可撓性の配管が連通孔に固定され、該配管の端部と、建築用追焚配管の端部とが、接続配管により接続されている。浴室ユニットは、接続配管の上方に設けられたカウンターと、カウンターの手前側に洗い場床から立てられた化粧板とで囲まれたスペースに接続配管が配置されている。
【先行技術文献】
【特許文献】
【０００４】
【特許文献１】特開２００７−０１０２５１号公報
【発明の概要】
【発明が解決しようとする課題】
【０００５】
特許文献１に記載の浴室ユニットは、接続配管が配置されるスペースによって洗い場床が狭くなってしまう。また、浴室ユニットは、配管を接続するための連通孔が形成される結合部材を有しており、結合部材を洗い場床へ取り付ける構造が洗い場床に設けられるため、製造コストが高くなり、さらには組立に時間がかかるという問題点があった。
【０００６】
ところで、浴室ユニットに用いられる給水給湯用の配管を浴槽や壁パネルの裏側に配索することによって、洗い場床を広くすることができるが、配管を支持するための配管支持具が複雑になってしまう蓋然性がある。また、配管同士の端部における接続が容易に行えるよう工夫する必要がある。
【０００７】
本発明は、斯かる事情に鑑みてなされたものであり、その目的とするところは、簡易な構成で浴室用の配管を支持することができる配管支持具を提供することにある。
【課題を解決するための手段】
【０００８】
本発明に係る配管支持具は、浴室用の配管を支持するための配管支持具であって、浴槽に取り付けるための取付部と、前記浴槽の裏側において前記取付部から延び、前記配管を支持する支持部と、を備えることを特徴とする。
【０００９】
本発明にあっては、配管支持具は取付部および支持部を有し、浴室用の配管を支持する。取付部は浴槽に取り付けられる。支持部は、浴槽の裏側において、取付部から延び、配管を支持する。これにより、配管支持具は、簡易な構成で浴室用の配管を支持することができる。
【発明の効果】
【００１０】
本発明によれば、配管支持具は、簡易な構成で浴室用の配管を支持することができる。
【図面の簡単な説明】
【００１１】
【図１】実施形態に係る配管支持具を含む浴室ユニットの内側の外観を示す斜視図である。
【図２】実施形態に係る配管支持具を含む浴室ユニットの裏側の外観を示す斜視図である。
【図３】配管支持具および配管の斜視図である。
【図４】配管支持具の斜視図である。
【図５】配管支持具の側面図である。
【図６】配管支持具の部分を拡大した部分拡大図である。
【図７】変形例に係る配管を含む浴室ユニットの裏側の外観を示す斜視図である。
【図８】別の変形例に係る配管支持具の正面図である。
【図９】配管支持具の平面図である。
【図１０】さらに別の変形例に係る配管支持具の斜視図である。
【図１１】さらに別の変形例に係る配管支持具の斜視図である。
【図１２】配管支持具の平面図である。
【発明を実施するための形態】
【００１２】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は本発明の実施形態に係る配管支持具１を含む浴室ユニット１００の内側の外観を示す斜視図、図２は本発明の実施形態に係る配管支持具１を含む浴室ユニット１００の裏側の外観を示す斜視図である。浴室ユニット１００は、湯を溜める浴槽９０、該浴槽９０前側に設けた洗い場床９１、壁パネル９２および９３、エプロン９４、給水給湯用の配管５０および配管支持具１を有する。
【００１４】
浴槽９０は、浴槽架台８０に載置されており、上端の周囲において外側に広がる上端縁部９０ａが設けられている。上端縁部９０ａは、洗い場床９１側を除く周囲から上方に向って延びる柵状に水切り部９０ｂを有する。浴槽９０は、洗い場床９１側の上端縁部９０ａがエプロン９４の上端部に接続されている。
【００１５】
エプロン９４は、矩形板状をなし、下端部が洗い場床９１の浴槽９０側の側辺部に接続されており、壁パネル９３側に配管接続や点検等を行うための開口部９４ａが浴室内と浴槽９０裏側とを貫通するように設けられている。エプロン９４は、洗い場床９１に対して凹状に湾曲した形状としてある。エプロン９４は、洗い場床９１とは別体とし、洗い場床９１に取り付けるようにしても良いし、洗い場床９１と一体的に成形されるものであってもよい。
【００１６】
浴槽９０および洗い場床９１は、四方を壁パネルによって囲まれている。洗い場床９１に接する壁パネル９２には、給水給湯用の配管５０の端部５２における接続口が浴室内部を臨むように取り付けられている。給水給湯用の配管５０は、２本で構成されており、一方が給水用配管、他方が給湯用配管である。端部５２の接続口は、浴室内に配設される吐水装置に接続される。浴槽９０に接する壁パネル９３は、水切り部９０ｂの内側の上端縁部９０ａに載置されている。壁パネル９３の下端部は、浴槽９０の上端縁部９０ａとの間で水漏れ防止のためにシールされている。
【００１７】
配管支持具１は、壁パネル９３の下方であって、エプロン９４の開口部９４ａ付近における浴槽９０の裏側に設けられている。配管支持具１は、配管５０の他方の端部５１が固定されており、端部５１を支持する。配管５０の端部５１には、給湯設備等から延びる設備側配管６０の端部６１が下方から接続される。設備側配管６０は、給湯設備等から浴槽９０下を通って、壁パネル９３側で上方に屈曲しており、端部６１における接続口は上方を向いている。
【００１８】
図３は配管支持具１および配管５０の斜視図、図４は配管支持具１の斜視図、図５は配管支持具１の側面図である。配管５０は、壁パネル９２の裏側を水平方向に延びており、洗い場床９１側で上方に屈曲して端部５２に至る。端部５２と反対側の端部５１は、配管支持具１に固定されて支持される。配管支持具１は、上部に浴槽９０の上端縁部９０ａに取り付けるための取付部１１、および取付部１１から下方に延びて下部において配管５０の端部５１を支持する板状の支持部１２を有する。
【００１９】
取付部１１は、逆さＵ字状をなし、浴槽９０の上端縁部９０ａの水切り部９０ｂに上方から掛けられ、螺子等の締結具によって水切り部９０ｂに固定される。支持部１２は、水切り部９０ｂの外側で取付部１１の端部に連続し、浴槽９０の裏側において下方に延びる。取付部１１および支持部１２は、板材の曲げ加工等により一体的に成形しても良いし、別体として組み立てられるものであっても良い。
【００２０】
支持部１２は、取付部１１から下方に延びる短冊板状の側部１２ａ、および側部１２ａの下部において浴槽９０側へほぼ直角に屈曲した板状の底部１２ｂを有する。側部１２ａには、底部１２ｂ側の一面側で凹状をなし、他面側で凸状をなす上下方向に延びる第１突条部２１が設けられている。第１突条部２１は、例えば板金によって、板の一面側で凹部、他面側で凸部となる紐状の突条を形成するビード加工によって形成することができ、形成された突条はビードと呼ばれる。
【００２１】
底部１２ｂは、Ｌ字状をなし、両辺部に上下に貫通する貫通孔部２３が形成されている。底部１２ｂは、配管支持具１が浴槽９０の水切り部９０ｂに取り付けられた状態で、エプロン９４側から見て奥側が浴槽９０側に向かうようなＬ字状に形成されている。配管５０の端部５１は、貫通孔部２３の上側に固定され、貫通孔部２３を通して接続口５１ａが下側に突き出されている。第１突条部２１は、側部１２ａから底部１２ｂに亘って設けられており、また、側部１２ａから取付部１１に亘って設けられている。
【００２２】
図５に示すように、支持部１２の側部１２ａは、一点鎖線で示される鉛直方向に対して、下部に向うにつれて浴槽９０側に近づくように傾斜させている。このように支持部１２の側部１２ａを傾斜させることで、側部１２ａの浴槽９０側と反対側に、配管５０を配索するためのスペースをより広げることができるが、配管５０を配索するためのスペースが十分にある場合には、側部１２ａを傾斜させなくても良い。
【００２３】
次に配管支持具１の動作について説明する。図６は、配管支持具１の部分を拡大した部分拡大図である。配管支持具１は、予め配管５０の端部５１が取り付けられており（図３参照）、浴室ユニット１００を組み立てる際に、壁パネル９３を浴槽９０の上端縁部９０ａに立てる前に、水切り部９０ｂに取付部１１で固定する。壁パネル９２側に位置する配管５０の端部５２は、壁パネル９２の対応する位置に設けられた貫通孔に差し込まれる。
【００２４】
設備側配管６０は、端部６１の接続口を配管５０の接続口５１ａに突き合せ、接続部分に適宜設けられた接続手段、例えば、配管５０の接続口５１ａの外周に設けた雄螺子に端部６１側の雌螺子を外挿させて螺合させる結合手段等により、配管５０に接続する。この配管同士の端部における接続作業は、エプロン９４に設けた開口部９４ａの洗い場床９１側から浴槽９０裏側へ作業者が手を伸ばし、工具を用いて行うことができる。
【００２５】
配管支持具１は、取付部１１および支持部１２を有する簡易な構成で配管を支持することができる。また、底部１２ｂに設けた貫通孔部２３から配管５０の接続口５１ａを下方に突き出すように設けることで、設備側配管６０を下方から容易に接続することができる。
【００２６】
底部１２ｂは、配管支持具１が浴槽９０の水切り部９０ｂに取り付けられた状態で、エプロン９４側から見て奥側が浴槽９０側に向かうようなＬ字状に形成されており、両辺部に上下に貫通する貫通孔部２３が設けられている。両辺部は、短冊板状の側部１２ａに沿った第１辺部１３ａと、第１辺部１３ａのエプロン９４側から見て奥側から短冊状の側部１２ａから離れる方向に延びる第２辺部１３ｂからなる。底部１２ｂをＬ字状に形成し、第１辺部１３ａおよび第２辺部１３ｂに貫通孔部２３を設けることで、２本の配管５０の端部５１が固定される位置をずらすことができる。２本の配管５０の端部５１が固定される位置をずらすことで、エプロン９４に設けた開口部９４ａから各配管の端部への見通しを良くすることができ、工具を使用し易く端部接続の作業が容易になり得る。また、底部１２ｂをＬ字状にすることで、エプロン９４側から見て奥側から浴槽９０側へ向かう底部１２ｂの第２辺部１３ｂに設けた貫通孔部２３が開口部９４ａに近づくことになり、作業者による作業が容易になる。
【００２７】
配管支持具１は、側部１２ａに上下方向に延びる第１突条部２１が形成されているので、剛性が高くなり変形し難い。配管支持具１は、第１突条部２１が側部１２ａから底部１２ｂに亘って設けられることで、底部１２ｂでの変形を抑制することができる。また配管支持具１は、第１突条部２１が側部１２ａから取付部１１に亘って設けられることで、取付部１１での変形を抑制することができる。
【００２８】
次に、実施形態の配管支持具１の特徴を説明する。
本発明の実施形態の配管支持具１は浴室用の配管５０を支持する。配管支持具１は、浴槽９０に取り付けるための取付部１１と、浴槽９０の裏側において取付部１１から延び、配管５０を支持する支持部１２とを備える。これにより、配管支持具１は、取付部１１および支持部１２を有する簡易な構成で配管を支持することができる。
【００２９】
また配管支持具１は、取付部１１が浴槽９０の上端縁部９０ａに取り付けられる。支持部１２は、板状をなし、取付部１１から下方に延び、下部に配管５０の端部５１を支持する。これにより、配管支持具１は、取付部１１および板状の支持部１２を有する簡易な構成で配管を支持することができる。また配管支持具１は、支持部１２が取付部１１から下方に延びるため、浴槽９０の上端縁部９０ａから側方への突出を抑制することができる。
【００３０】
また配管支持具１は、支持部１２が下部において浴槽９０側へ屈曲した底部１２ｂを有している。底部１２ｂは、上下に貫通する貫通孔部２３を有し、貫通孔部２３の上側に配管５０の端部５１が固定される。配管５０の接続口５１ａは、貫通孔部２３の下側に突き出すように設けられる。これにより、配管支持具１は、下方からの設備側配管６０等の配管を配管５０に容易に接続することができる。
【００３１】
また配管支持具１は、底部がＬ字状をなし、両辺部に貫通孔部２３が形成されている。これにより、配管支持具１は、２本の配管５０の端部５１が固定される位置をずらすことで、端部接続の作業が容易になり得る。
【００３２】
また配管支持具１は、支持部１２が上下方向に延びる第１突条部２１を有する。これにより、支持部１２の剛性が高くなり変形し難い。
【００３３】
（変形例）
図７は、変形例に係る配管５０を含む浴室ユニット１００の裏側の外観を示す斜視図である。上述の実施形態では、配管５０が浴槽９０の裏側から、洗い場床９１に接する壁パネル９２に延びる構成を示したが、配管５０が浴槽９０の裏側から、浴槽９０に接する壁パネル９３に延びる構成であっても良い。
【００３４】
配管５０は、上下方向に延びており、端部５２が壁パネル９３に配設され、端部５１が配管支持具１の下部に固定され支持されている。この変形例においても、実施形態と同様に構成される配管支持具１を用いることができる。
【００３５】
図８は別の変形例に係る配管支持具１の正面図、図９は配管支持具１の平面図である。この変形例に係る配管支持具１は、上下方向に延びる第１突条部２１に加えて、第１突条部２１に交差する横方向の第２突条部２２を支持部１２の側部１２ａに設けたものである。
【００３６】
第２突条部２２は、底部１２ｂ側の一面側で凹状、他面側で凸状をなし、例えば上述のビード加工によって形成することができる。配管支持具１は、横方向に第２突条部２２を設けることで、上下方向の軸回りのねじり剛性が高くなり、ねじり変形を抑制することができる。
【００３７】
また、配管支持具１は、底部１２ｂの端部に補助板１２ｃが底部１２ｂから上方に立ち上がるように設けられている。配管５０の端部５１と設備側配管６０の端部を接続する作業を行う際に、作業者がペンチ等の工具を用いて補助板１２ｃを掴むことによって、作業時に配管の端部に大きな力が加わった場合でも、配管支持具１の振れを抑制することができる。
【００３８】
図１０は、さらに別の変形例に係る配管支持具１の斜視図である。この変形例に係る配管支持具１は、支持部１２の側部１２ａの上下方向における中途部に段部２４を設けたものである。段部２４は、側部１２ａの取付部１１側から底部１２ｂ側へ略直角に屈曲させ、さらに下方へ屈曲させて形成されている。
【００３９】
配管支持具１は、側部１２ａに段部２４を設けることで、上下方向の軸回りのねじり剛性が高くなり、ねじり変形を抑制することができる。
【００４０】
図１１はさらに別の変形例に係る配管支持具１の斜視図、図１２は配管支持具１の平面図である。この変形例に係る配管支持具１は、段部２４を設けた側部１２ａの横方向に交差する両側辺部から浴槽９０方向および下方へ延びるように三角形状の２つの接続板１２ｄを設けたものである。底部１２ｂは、両方の接続板１２ｄの下辺部に連続するように設けられている。配管支持具１は、側部１２ａの下辺部、底部１２ｂの間に、配管５０を通すための配管用貫通孔１２ｅが形成されており、配管５０を貫通孔部２３へ配索し易くなっている。
【００４１】
図１２に示すように、配管支持具１は、取付部１１に対して底部１２ｂが傾斜するように形成されている。配管支持具１は、取付部１１に対して底部１２ｂを傾斜させることで、２本の配管５０の端部５１が固定される位置をずらすことができる。これにより、配管支持具１は、エプロン９４に設けた開口部９４ａから各配管の端部への見通しを良くすることができ、工具を使用し易く端部接続の作業が容易になり得る。
【００４２】
上述の実施形態および変形例では、配管支持具１の取付部１１を浴槽９０の上端縁部９０ａの水切り部９０ｂに取り付ける構成を示したが、取付部１１が取り付けられる箇所は、水切り部９０ｂに限られない。配管支持具１は、例えば、取付部１１が浴槽９０の上端縁部９０ａの上面や下面に取り付けられる構成であっても良い。さらに、取付部１１は、取付箇所が上端縁部９０ａに限られず、取付部１１から延びる支持部１２が浴槽９０の裏側に配設されるように、浴槽９０の上端縁部９０ａ以外の箇所、例えば浴槽９０裏側の上下方向の中途部や底部等に取り付けられるものであっても良い。これらの場合においても、配管支持具１は、取付部１１および支持部１２を有する簡易な構成で配管を支持することができる。
【００４３】
上述の実施形態および変形例では、板状の支持部１２が浴槽９０の上端縁部９０ａから下方に延び、下部に配管５０の端部５１を支持する構成を示したが、支持部１２が浴槽９０の裏側において下方以外の方向、例えば横方向等に延びるものであっても良い。また、支持部１２は、下部以外の箇所、例えば端部や中途部等で配管５０を支持するものであっても良い。さらに支持部１２は、配管５０の端部５１以外の箇所、例えば配管５０の中途部等を支持するものであっても良い。配管支持具１の支持部１２が板状である構成を示したが、板状に限られるものではなく、例えば棒状や筒状等であっても良い。これらの場合においても、配管支持具１は、取付部１１および支持部１２を有する簡易な構成で配管を支持することができる。
【００４４】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４５】
１  配管支持具、  １１  取付部、  １２  支持部、  １２ｂ  底部、
２１  第１突条部、  ２２  第２突条部、  ２３  貫通孔部、  ５０  配管、
５１ａ  接続口、  ９０  浴槽、  ９０ａ  上端縁部。
【図１】
2018091461.tif 000003
【図２】
2018091461.tif 000004
【図３】
2018091461.tif 000005
【図４】
2018091461.tif 000006
【図５】
2018091461.tif 000007
【図６】
2018091461.tif 000008
【図７】
2018091461.tif 000009
【図８】
2018091461.tif 000010
【図９】
2018091461.tif 000011
【図１０】
2018091461.tif 000012
【図１１】
2018091461.tif 000013
【図１２】
2018091461.tif 000014